(57)【要約】【課題】１台１種類対応であるが、着脱自在部品が不要で、焼成中の折損を完全に防止可能な廻り隅瓦焼成用セッターを提供する。【解決手段】４枚の側板１、1a、1b、1cからなる平面視方形状のセッター本体２と、該セッター本体２の外側面に一体突設した、廻り隅瓦素地Ｗの外周部に当接可能な複数本の位置決め体３、3a、3bとを有し、前記側板１、1a、1b、1cの上辺部４、4a、4b、4cを傾斜させて、セッター本体２の上部四角部における一方の対角線上の二角部５、5aを他方の対角線上の二角部６、6aより高くし、且つ前記上辺部４、4a、4b、4cを廻り隅瓦素地Ｗの下面に接面可能にする。【選択図】図１
2014126254.tif 000002
【特許請求の範囲】
【請求項１】
４枚の側板からなる平面視方形状のセッター本体と、該セッター本体の外側面に一体突設した、廻り隅瓦素地の外周部に当接可能な複数本の位置決め体とを有し、前記側板の上辺部を傾斜させて、前記セッター本体の上部四角部における一方の対角線上の二角部を他方の対角線上の二角部より高くし、且つ前記上辺部を廻り隅瓦素地の下面に接面可能にしたことを特徴とする廻り隅瓦焼成用セッター。
【発明の詳細な説明】
【技術分野】
【０００１】
本発明は、廻り隅瓦素地を正しい姿勢でセット可能にした焼成用セッターに関する。
【背景技術】
【０００２】
従来、きき幅寸法をＭ１、きき足寸法をＭ２、葺設状態の瓦の傾斜角度をθとした場合、Ｍ１＝Ｍ２・ｃｏｓθとなる所謂「モジュール瓦」である桟瓦と、該桟瓦の対角線を境にして両側の屋根勾配に沿うように折曲した形状の廻り隅瓦とを有することで、屋根勾配に応じて予め工場で製作する、所謂プレカット工法により、葺き下ろし部分、隅棟部分を専門の職人でなくとも簡単に葺くことが可能で、而も雨漏りし難く、美麗に葺設可能な瓦が見受けられる（例えば、特許文献１参照）。
この工法で使用される瓦は、同種類の瓦であっても屋根勾配により形状が異なり、例えば廻り隅瓦では大きさも然ることながら、屋根勾配が大きくなるに従い折曲角度が小さくなる。
【０００３】
又、この廻り隅瓦の焼成用セッターとしては、基板に、廻り隅瓦素地の中央屈曲部下面を支持する受部材と、廻り隅瓦素地の前縁両側下面を支持する受部材と、廻り隅瓦素地の後縁両側下面を支持する受部材とを着脱自在に取り付け、前記受部材は基板に形成された取付座に取り付けられていることで、屋根勾配に応じて形状が異なる廻り隅瓦素地を、一種類の基板に対し受部材を交換するだけで対応可能になって、量産化によるコストダウンを図ること、及び消耗交換の対象が小型な受部材だけになることによる維持費のコストダウンを図ることが可能となり、更に受部材の取付座に燃焼ガス流通用の切欠を形成してあることで、廻り隅瓦素地周囲の焼成温度にむらがなく焼成することが可能になったものが見受けられる（例えば、特許文献２参照）。
【０００４】
そして、基板の取付座の差込孔に屋根勾配に合わせた屈曲角度をもつ廻り隅瓦素地をがたつくことなく受けることが可能な所定長の受部材を挿し込み、基板の対角線上に配置された取付座と廻り隅瓦素地の対角線上に形成された屈曲中央部と揃え、基板の前縁両側に廻り隅瓦素地の前縁両側を揃えると共に、基板に取り付けたストッパ部材に廻り隅瓦素地の後縁両側（オーバーハング部）の側面の頭側寄り部位と尻側端面を当接させる様に位置決めして、基板上に廻り隅瓦素地を載置させている。
【先行技術文献】
【特許文献】
【０００５】
【特許文献１】特許第３３８８９１７号公報
【特許文献２】特許第３０７３４８７号公報
【発明の概要】
【発明が解決しようとする課題】
【０００６】
しかし、上記特許文献２の焼成セッターにあっては、正しい受部材を正しい位置にセットせねばならないために作業が面倒で、而も焼成中に受部材が折損することに伴い、廻り隅瓦素地の支承バランスの崩れが生じて、焼成中の素地の収縮バランスが部分的に崩れて歪みが発生し易い状態が発生する可能性を否定出来ないなど、解決せねばならない課題があった。
【課題を解決するための手段】
【０００７】
本発明は、上記従来技術に基づく、廻り隅瓦素地を支持する手段がセラミックスパイプである受部材であることにより不具合が生じる課題に鑑み、４枚の側板からなる平面視方形状のセッター本体と、該セッター本体の外側面に一体突設した、廻り隅瓦素地の外周部に当接可能な複数本の位置決め体とを有し、前記側板の上辺部を傾斜させて、前記セッター本体の上部四角部における一方の対角線上の二角部を他方の対角線上の二角部より高くし、且つ前記上辺部を廻り隅瓦素地の下面に接面可能にすることによって、着脱可能な部品が無く、廻り隅瓦素地の支持手段を４枚の側板にすることで焼成中の折損を完全に防止可能にして、上記課題を解決する。
【発明の効果】
【０００８】
要するに本発明は、４枚の側板からなる平面視方形状のセッター本体と、該セッター本体の外側面に一体突設した、廻り隅瓦素地の外周部に当接可能な複数本の位置決め体とを有しているので、金属板及び金属棒の様な安価な材料で簡単に製造出来るため、１台自体のコストは極めて安価にすることが出来る反面、１台に対し１種類の廻り隅瓦素地にしか対応できず、複数の勾配用のものを準備しなければならいが、前記側板の上辺部を傾斜させて、前記セッター本体の上部四角部における一方の対角線上の二角部を他方の対角線上の二角部より高くし、且つ前記上辺部を廻り隅瓦素地の下面に接面可能にしているので、位置決め体により廻り隅瓦素地を正しい位置に確実にセットすることが出来、且つ焼成中に４枚の側板の上辺部の全てが常に廻り隅瓦素地の下面に接面状態を維持出来るため、焼成中の廻り隅瓦素地の支持手段は折損変形せず、歪みの極めて少ない焼成品にするための焼成セッターを提供出来る等その実用的効果甚だ大である。
【図面の簡単な説明】
【０００９】
【図１】本発明に係る廻り隅瓦素地焼成用セッターの斜視図である。
【図２】図１の廻り隅瓦素地焼成用セッターの平面図である。
【図３（ａ）】図１の廻り隅瓦素地焼成用セッターの正面図である（３．５寸勾配用）。
【図３（ｂ）】図１の廻り隅瓦素地焼成用セッターの正面図である（４．５寸勾配用）。
【図３（ｃ）】図１の廻り隅瓦素地焼成用セッターの正面図である（５．５寸勾配用）。
【発明を実施するための形態】
【００１０】
本発明に係る廻り隅瓦焼成用セッターは、基本的に、４枚の側板１、1a、1b、1cからなる平面視方形状のセッター本体２と、該セッター本体２の外側面に一体突設して、廻り隅瓦素地Ｗの外周部に当接可能な複数本の位置決め体３、3a…とを有し、側板１、1a、1b、1cの上辺部４、4a、4b、4cを傾斜させて、セッター本体２の上部四角部における一方の対角線上の二角部５、5aを他方の対角線上の二角部６、6aより高くしている。
以下、具体的に説明する。
【００１１】
セッター本体２は、耐熱性を有する金属板で形成され、側板１、1a、1b、1cにおける上辺部４、4a、4b、4cの角度は、該上辺部４、4a、4b、4cの全てが廻り隅瓦素地Ｗの下面に接面可能に設定され、載置状態における廻り隅瓦素地Ｗの撓み変形を防止可能にしている。
【００１２】
つまり、本発明に係る廻り隅瓦焼成用セッターは、屋根勾配により廻り隅瓦素地Ｗの折曲角度がことなることから、上辺部４、4a、4b、4cの角度が異なるものが複数種類必要になる。
【００１３】
位置決め体３、3a…は３本とし、各位置決め体３、3a、3bは、セッター本体２に固設された水平部材と該水平部材の先端より上方へ垂直に連続形成された立上げ部材とを有するＬ形に屈曲された耐熱性を有する金属棒材で、１個の位置決め体３はセッター本体２における一方の高い角部５の直下の角部、即ち側板１、1aの境界部に対角線に沿って突設し、残る２個の位置決め体3a、3bは、セッター本体２における一方の高い角部５の直下の角部の両側、即ち側板1b、1cにおける境界部寄りの外側面に、側板1b、1cに対し直角に突出している。
【００１４】
そして、位置決め体３の立上げ部位を廻り隅瓦素地Ｗの頭側角部に、位置決め体3a、3bの立上げ部位を廻り隅瓦素地Ｗの尻側両側面に夫々当接可能にしている。
【００１５】
尚、図面上、位置決め体３、3a…を３本としているが、２本或いは４本以上であっても良く、好ましくは３本とし、位置決めの箇所は、少なくとも頭側角部と尻側側面の２箇所を含むこととする。
【００１６】
セッター本体２は、セッター本体２における一方の対角線に沿って配置した、高い二角部５、5aと同じ高さの補強板７を有し、且つ該補強板７と側板１、1cとの間、補強板７と側板1a、1bとの間に夫々、低い二角部６、6aと同じ高さの補強部材８、8a…を有していることで、焼成炉内の高温雰囲気や、焼成時の廻り隅瓦素地Ｗの収縮に引っ張られることが原因のセッター本体２の変形を防止可能にしている。
【００１７】
尚、補強部材８、8a…は、３枚ずつ有し、側板１、1a、1b、1cの内面中央と補強板７の側面中央との間を連結した２枚と、セッター本体２における他方の対角線に沿って配置した１枚とを有しているが、かかる枚数には限定されないが、図示した様に、３枚の補強部材８、8a、8bを配置固定するのが好ましい。
【００１８】
次に、本発明に係る廻り隅瓦焼成用セッターの作用について説明する。
先ず、廻り隅瓦素地Ｗの頭側角部を位置決め体３の立上げ部位に当てがい、次に廻り隅瓦素地Ｗの尻側両側面に位置決め体3a、3bを当てがった状態で、セッター本体２上に廻り隅瓦素地Ｗを載置すると、補強板７の直上に廻り隅瓦素地Ｗの折曲部位が位置し、側板１、1a、1b、1cの上辺部４、4a、4b、4cに廻り隅瓦素地Ｗの下面に対し接面状態となって、本発明に係る廻り隅瓦焼成用セッターに対し廻り隅瓦素地Ｗが、折曲部位を水平状態とした正しい姿勢でセットされる。
【００１９】
よって、異なる勾配の廻り隅瓦素地Ｗには、図３（ａ）〜図（ｃ）に示す様に、別のセッターに載置せねばならない。
【００２０】
そして、廻り隅瓦Ｗを載置させた本発明に係る廻り隅瓦焼成用セッターを焼成炉に搬入し焼成すると、側板１、1a、1b、1c、補強板７、補強部材８、8a…の相互間に形成される隙間により燃焼ガスが廻り隅瓦Ｗの下面側に到達して、温度むらのない焼成が行われることとなり、而も廻り隅瓦Ｗは側板１、1a、1b、1cに接面状態でガタつかずに支持され正しい姿勢でセットされており、焼成時の歪みが最小限に抑えられる。
【符号の説明】
【００２１】
１、1a、1b、1c  側板
２              セッター本体
３、3a、3b      位置決め体
４、4a、4b、4c  上辺部
５、5a          高い角部
６、6a          低い角部
Ｗ              廻り隅瓦素地
【図１】
2014126254.tif 000003
【図２】
2014126254.tif 000004
【図３（ａ）】
2014126254.tif 000005
【図３（ｂ）】
2014126254.tif 000006
【図３（ｃ）】
2014126254.tif 000007